(57)【特許請求の範囲】
【請求項１】
液晶を挟んで互いに対向する一対の基板と、前記一対の基板のうちの少なくとも一方に装着される液晶駆動用ＩＣとを有する液晶表示装置において、
前記液晶駆動用ＩＣが装着される前記基板は、複数の電極及び前記複数の電極に個々に電気的に接続された導電用端子を備え、
前記液晶駆動用ＩＣは、電極端子が露出する能動面を備えると共にその能動面が側方向を向くように前記基板の側端面上に取り付けられ、
前記液晶駆動用ＩＣの複数の電極端子と前記基板の複数の導電用端子とが導電性接着剤によって個別に導電接続されてなり、
前記基板の導電用端子形成面の端部にＩＣ入力用配線パターンが形成され、これらＩＣ入力用配線パターンの各々に対応して前記液晶駆動用ＩＣの能動面に入力用電極端子が設けられ、前記液晶パネルのＩＣ入力用配線パターンと前記液晶駆動用ＩＣの入力用電極端子とが導電性接着剤によって導電接続され、前記ＩＣ入力用配線パターンの他端にＦＰＣが導電接続されたことを特徴とする液晶表示装置。
【請求項２】
複数の電極端子が露出する能動面を備えた半導体要素を構成する液晶駆動用ＩＣと、複数の動作電極及びそれらの動作電極に個々に連続する複数の導電用端子を備えた半導体要素使用体を構成する液晶パネルとに関して、前記液晶駆動用ＩＣの電極端子と前記液晶パネルの導電用端子とが互いに導通するように、前記液晶駆動用ＩＣを前記液晶パネルに装着させるための実装構造において、
能動面が側方向を向くように前記液晶駆動用ＩＣが前記液晶パネルを構成する基板の側端面に取り付けられ、前記液晶駆動用ＩＣの複数の電極端子と前記液晶パネルの複数の導電用端子とが導電性接着剤によって個別に導電接続されるとともに、
前記基板の導電用端子形成面の端部にＩＣ入力用配線パターンが形成され、これらＩＣ入力用配線パターンの各々に対応して前記液晶駆動用ＩＣの能動面に入力用電極端子が設けられ、前記液晶パネルのＩＣ入力用配線パターンと前記液晶駆動用ＩＣの入力用電極端子とが導電性接着剤によって導電接続され、前記ＩＣ入力用配線パターンの他端にＦＰＣが導電接続されたことを特徴とする半導体要素の実装構造。
【発明の詳細な説明】
【０００１】
【発明の属する技術分野】
本発明は、ＩＣチップ等といった半導体要素をそれを使用する各種機器に装着するための実装構造に関する。また、本発明は、その実装構造を用いた液晶表示装置に関する。
【０００２】
【従来の技術】
各種の電子機器において、ＩＣチップ等を基板上に装着するための実装技術として、従来より種々の方法が提案されている。例えば、ＩＣチップ等のパッドと基板の導電用端子との間を極細線で接続するワイヤボンディング方式や、ＩＣチップ等のパッドにバンプ（突出電極）を設けＡＣＦ（Anisotropic Conductive Film ：異方性導電膜）等を用いてそのバンプを基板の導電用端子に接続するフリップチップ方式等が知られている。
【０００３】
例えば液晶表示装置、特に図１１に示すように、液晶パネル５１の透明基板５１ａの上にＩＣチップ５２を直接に搭載するようにしたＣＯＧ（ Chip On Glass）方式の液晶表示装置の実装技術を考えると、この実装技術では、ＡＣＦ５２を間に挟んでＩＣチップ５２を基板５１ａ上に重ね、さらに加圧及び加熱してＩＣチップ５２のバンプと基板５１ａ上の導電用端子５４とを導電接続する。
【０００４】
【発明が解決しようとする課題】
しかしながら、ＡＣＦを用いた従来の実装技術では、ＩＣチップ５２のバンプ形成面すなわち能動面が、常に、基板５１ａの導電用端子形成面に対面した状態で実装が行われていた。通常のＩＣチップ５２は、扁平な直方体形状に形成されることが多く、そして能動面は面積の広い側の面に形成されるのが一般的である。従って、従来のように、能動面を基板５１ａに対面させた状態でＩＣチップ５２をその基板５１ａ上に装着する場合には、ＩＣチップ５２を装着するために広い面積が必要となるという問題があった。このことを液晶表示装置の問題として考えれば、液晶駆動用ＩＣを装着するための液晶パネルの周囲部分に広い面積が必要となるということであり、このことは、いわゆる液晶表示装置の額縁領域を広くすることになって液晶表示装置の小型化を阻害する。
【０００５】
本発明は、上記の問題点に鑑みてなされたものであって、ＩＣチップ等といった半導体要素を液晶パネル等といった半導体要素使用体へ装着する際の装着用面積を狭くすることを目的とする。
【０００６】
【課題を解決するための手段】
本発明に係る半導体要素の実装構造は、複数の電極端子が露出する能動面を備えた半導体要素と、複数の動作電極及びそれらの動作電極に個々に連続する複数の導電用端子を備えた半導体要素使用体とに関して、半導体要素の電極端子と半導体要素使用体の導電用端子とが互いに導通するように、半導体要素を半導体要素使用体に装着させるための実装構造である。そしてこの実装構造は、能動面が側方を向くように半導体要素を半導体要素使用体に取り付け、そして、半導体要素の電極端子と半導体要素使用体の導電用端子とを導電性接着剤でつなげることを特徴とする。
【０００７】
上記構成において「半導体要素」というのは、半導体素子を用いて構成されていて各種の機能を実現する要素のことであって、例えば、液晶表示装置に用いられる液晶駆動用ＩＣ、プリンタの印字ヘッドに用いられる印字制御用ＩＣ等のことである。
【０００８】
また、「能動面」いうのは、半導体要素の表面のうち複数の電極端子が設けられている面のことである。通常のＩＣチップでは、平坦状態の電極端子をパッドといい、そのパッドにバンプ（突出電極）が設けられることがある。このようにバンプが設けられる場合、本明細書ではパッド及びバンプの両方を包含する意味で電極端子ということにする。
【０００９】
また、「半導体要素使用体」というのは、ＩＣチップ等といった半導体要素を使用して各種の機能を実現する部材、機器等のことであり、具体的には、液晶表示装置の液晶パネル、プリンタ用の印字ヘッド等が考えられる。また、「動作電極」というのは、半導体要素使用体によって実現しようとしている主たる機能を実現するために動作する電極のことであって、例えば、半導体要素使用体として液晶パネルを考えれば、液晶パネルの透明基板上に形成されるストライプ状又はパターン状の透明電極が動作電極ということになる。また、半導体要素使用体として感熱印字方式のプリンタの印字ヘッドを考えれば、所定位置に配列された複数の印字用発熱体に接続された部分の個々の電極が動作電極ということになる。さらに、「導電用端子」というのは、上記の動作電極をＩＣチップ等といった半導体要素の電極端子に導通させるために使用される端子のことである。
【００１０】
以上に記載した本発明の実装構造によれば、半導体要素の能動面が半導体要素使用体の導電用端子形成面に対面するのではなくて、その能動面が側方向を向いた状態でその半導体要素が半導体要素使用体に取り付けられる。通常、半導体要素の能動面は面積が広く、その能動面に隣り合う側面は面積が狭いので、能動面が側方を向くようにして半導体要素を装着すれば、その半導体要素を装着させるために半導体要素使用体の表面に準備しておく面積を狭くすることができる。
【００１１】
本発明に係る半導体要素の実装構造において、半導体要素は半導体要素使用体の導電用端子形成面上に置くこともできるし、あるいは、半導体要素使用体の側端面に置くこともできる。半導体要素を導電用端子形成面上に置く場合には、半導体要素が半導体要素使用体の側方向に張り出すことがなくなるので、半導体要素使用体の平面的な大きさを小さく抑えることができる。
【００１２】
一方、半導体要素を半導体要素使用体の側端面に置く場合には、半導体要素が半導体要素使用体の側方に張り出すことになるので、半導体要素使用体の平面的な大きさは大きくなるかもしれない。しかしながらこの場合には、半導体要素使用体の厚さに重ねて半導体要素の厚さが加わるというのではなくて、半導体要素使用体あるいは半導体要素のうちのいずれか厚い方の厚みを持って全体の厚さが決まることになるので、全体の厚さを薄くすることができる。
【００１３】
今、液晶パネル等といった半導体要素使用体の動作電極と、ＩＣ等といった半導体要素の電極端子との関係を考えると、多くの場合、半導体要素の電極端子間のピッチは半導体要素使用体の動作電極間のピッチよりも、かなり狭く設定される。この状況を図１１に示す従来の液晶表示装置を例に挙げて考えれば、ピッチ幅の広い動作電極（すなわち透明電極）５３とピッチ幅の狭い半導体要素（すなわちＩＣチップ）５２の電極端子とを接続するため、導電用端子５４の配線パターンを斜めに傾斜させることによってピッチ幅を調整している。この配線パターン領域Ｈはかなり広い面積を必要とし、それ故、透明基板５１ａの面積が大きくなって液晶パネルの全体が大型になるという問題がある。
【００１４】
これに対し、ＩＣチップ等といった半導体要素の電極端子間のピッチを、液晶パネル等といった半導体要素使用体の動作電極間のピッチに対して実質的に等しく設定すれば、図１１のピッチ調整用の配線パターン領域Ｈが不要となるので、半導体要素使用体の全体的な形状を非常に小さくできる。ここで「実質的」といっているのは、厳密には等しくない場合であってもそれが実用上問題とならないような誤差であるときにはそれをも含むという意味である。
【００１５】
なお、半導体要素の電極端子間ピッチを半導体要素使用体の動作電極間のピッチと実質的に等しくするということは、半導体要素の長さが非常に長くなるということである。このような長さの長い半導体要素をＡＣＦを用いて実装しようとすると、個々の端子同士を十分正確に導通させることが難しくなる。これに対して本発明のように、半導体要素をその能動面が側方向を向くように配設した上で、半導体要素の電極端子と半導体要素使用体の導電用端子とを導電性接着剤でつなぐようにすれば、長さの長い半導体要素の電極端子の個々をそれぞれ正確に導電用端子に接続できる。
【００１６】
次に、本発明に係る液晶表示装置は、液晶を挟んで互いに対向する一対の基板と、それらの基板のうちの少なくとも１つに装着される液晶駆動用ＩＣとを有する液晶表示装置である。そしてこの液晶表示装置では、液晶駆動用ＩＣが装着される基板は導電用端子を備え、液晶駆動用ＩＣは電極端子が露出する能動面を備えると共にその能動面が側方を向くように基板に取り付けられ、そして、液晶駆動用ＩＣの電極端子と基板の導電用端子とを導電性接着剤でつなげることを特徴とする。この液晶表示装置の基板は、両方が透光性を有している場合は透過型（または反射型）の液晶表示装置であり、片方のみが透光性を有する場合は反射型の液晶表示装置となる。また画素にスイッチング素子が接続されたいわゆるアクティブマトリックス型の液晶表示装置にも適用可能であり、その場合も基板が2枚とも透光性を有する場合と、一方の基板は透光性を有さない場合がありうる。
【００１７】
【発明の実施の形態】
（第１実施形態）
図１は、本発明に係る実装構造を用いた液晶表示装置の一実施形態を平面的に示している。この実施形態では、半導体要素使用体として液晶パネルを考え、半導体要素として液晶駆動用ＩＣを考える。この液晶パネル１は、互いに対向する一対のガラス製又はプラスチック製の透光性基板１ａ及び１ｂを有する。これらの透光性基板のいずれか一方の周縁部にはシール材２が印刷によって長方形の枠状に形成され、そのシール材２によってそれらの透光性基板１ａ及び１ｂが互いに接合されている。両基板１ａ及び１ｂの間には、所定の間隙のセルギャップが形成され、そのセルギャップ内に液晶が封入される。
【００１８】
図の奥側の透光性基板１ａの表面には、ストライプ状電極（すなわち、動作電極）３ａがＩＴＯ（Indium Tin Oxide）によって形成されている。また、図の手前側の透光性基板１ｂの表面には、そのストライプ状電極３ａと直交するストライプ状の対向電極（すなわち、動作電極）３ｂがＩＴＯによって形成されている。
【００１９】
奥側の透光性基板１ａは手前側の透光性基板１ｂの外側へ張り出す張出し部を有しており、その張出し部に複数の導電用端子４がＩＴＯによって形成されている。これらの導電用端子４は、透光性基板１ａ上に電極３ａを形成するときに、それと同時に形成される。透光性基板１ａ上のストライプ状電極３ａは導電用端子４にそのまま連続し、他方、透光性基板１ｂ上のストライプ状電極３ｂは、透光性基板１ｂと透光性基板１ａとの間に設けた導電接続剤（図示せず）を介して導電用端子４に接続されている。
【００２０】
透光性基板１ａの端部には液晶駆動用ＩＣ（すなわち、半導体要素）６が取り付けられている。この取り付けは、単に置くだけということであっても良いし、あるいは、適宜の接着剤や接着テープ等を用いた貼り付けであっても良い。本実施形態では、図２に示すように、液晶駆動用ＩＣ６の能動面１０が側方向を向くように液晶駆動用ＩＣ６が透光性基板１ａに取り付けられる。この能動面１０には複数のバンプ（すなわち、電極端子）７が直線状に配列されている。これらのバンプ７の間のピッチＰb は、実質的に、ストライプ状電極３ｂ及び３ａ間のピッチＰe と等しく設定されている。従って、液晶駆動用ＩＣ６の長さＬは、図１に示すように、透光性基板１ａ及び１ｂ上に電極３ａ及び３ｂが形成された領域に相当する分だけの長い長さとなっている。
【００２１】
図２において、導電用端子４は電極３ｂ及び３ａから直線的に延びて液晶駆動用ＩＣ６のバンプ７の所に達している。そして、それらの導電用端子４の先端が導電性接着剤８によって各バンプ７へ個別に導電接続される。透光性基板１ａの端部にはＩＣ入力用配線パターン９が形成され、これらの配線パターン９のそれぞれに対応して、液晶駆動用ＩＣ６の能動面１０上に入力用バンプ１３が設けられ、それらの配線パターン９と入力用バンプ１３とが導電性接着剤８によって導電接続される。配線パターン９の他端にはＦＰＣ（Flexible Printed Circuit）１２が導電接続され、このＦＰＣを通して外部のホスト制御回路から映像データや電源電圧等が供給される。
【００２２】
以上のように、本実施形態では、液晶駆動用ＩＣ６のバンプ７同士間のピッチＰb を液晶パネル側のストライプ状電極３ａ及び３ｂ間のピッチＰe と等しくしたので、それらをつなぐための導電用端子４を傾斜を持たない単なる直線パターンとすることができ、従って、その導電用端子４のための配線領域を非常に狭くできる。それ故、液晶パネルの全体形状を小さく形成できる。
【００２３】
また、液晶駆動用ＩＣ６の能動面１０を側方向へ向けることによってバンプ７を側方向に露出させた状態でそれらのバンプ７を導電性接着剤８によって各導電用端子４に接続するようにしたので、液晶駆動用ＩＣ６の長さが長くなる場合でも、各バンプ７を確実に導電用端子４、従ってストライプ状電極３ａ及び３ｂへ接続できる。
【００２４】
ところで、液晶駆動用ＩＣ６の能動面１０の幅Ｗn は、液晶駆動用ＩＣ６の側面部の幅Ｗs よりもかなり大きいのが一般的である。図１１に示すような従来の液晶表示装置では液晶駆動用ＩＣ５２の能動面を透光性基板５１ａに対面させた状態で液晶駆動用ＩＣ５２を実装していたので、その実装のために広い面積を必要とした、これに対して図２に示す本実施形態のように、能動面１０に隣り合う側面を使って液晶駆動用ＩＣ６を基板１ａ上に実装すれば、その実装のための面積を狭めることができ、よって、いわゆる液晶表示装置の額縁領域を狭めることができる。一方の基板のみが透光性を有する場合は、透光性を有していない基板側に形成される電極は透明電極である必要はない。
【００２５】
（第２実施形態）
図３は、本発明に係る液晶表示装置の他の実施形態を示している。この実施形態が図２に示した実施形態と異なる点は、液晶表示装置と外部ホスト部とを接続するためのＦＰＣ１２の取り付け方に改変を加えたことである。具体的には、ＦＰＣ１２を透光性基板１ａの側方部分に引き出すのではなくて、液晶駆動用ＩＣ６の上を通ってＦＰＣ１２を外部へ引き出すようにしたことである。この実施形態によれば、液晶パネルのまわりの空間を節約できる。
【００２６】
（第３実施形態）
図４は、本発明に係る液晶表示装置のさらに他の実施形態を示している。この実施形態が図１に示した実施形態と異なる点は、２個の液晶駆動用ＩＣ６ａ及び６ｂを透光性基板１１ａの縦横のそれぞれに配設したことである。
【００２７】
（第４実施形態）
図５は、本発明に係る液晶表示装置のさらに他の実施形態の要部を示している。図２に示した実施形態では、液晶駆動用ＩＣ６を透光性基板１ａの導電用端子４の形成面の上に配置した。これに対し本実施形態では、透光性基板１ａの側端面に液晶駆動用ＩＣ６を配置してある。この実施形態によれば、液晶表示装置の平面的な大きさが液晶駆動用ＩＣ６の幅寸法Ｗs 分だけ大きくなるが、液晶表示装置の高さ寸法を低くできる。
【００２８】
（第５実施形態）
図６は、本発明に係る液晶表示装置のさらに他の実施形態の要部を示している。この実施形態は、図２に示した実施形態のＦＰＣ１２に対して改変を加えたものであり、具体的には、ＦＰＣ１２を透光性基板１ａの側端面に沿って回し込んで、その透光性基板１ａの裏面から外部へ引き出すようにしている。この実施形態によれば、液晶パネル１におけるＦＰＣ１２の取り付け部分の外観形状をすっきりさせることができる。
【００２９】
（第６実施形態）
図７及び図８は、本発明に係る液晶表示装置のさらに他の実施形態の要部を示している。この実施形態では、ＩＣ入力用配線パターン１９を液晶駆動用ＩＣ６の下を通してその液晶駆動用ＩＣ６の反対側へ引き出し、その引き出した部分にＦＰＣ１２を接着する。各配線パターン１９の一端は導電性接着剤８によってＩＣ６のバンプ７に個々に導電接続される。また、各配線パターン１９の他端はＡＣＦ（ Anisotropic Conductive Film：異方性導電膜）１４を用いてＦＰＣ１２に導電接続される。この実施形態によれば、液晶パネル１の端子長は長くなるかもしれないが、液晶パネル１に対するＦＰＣ１２の装着が容易になり、また、ＦＰＣ１２の取り付け部分の外観形状をすっきりさせることができる。
【００３０】
（第７実施形態）
図９は、本発明に係る半導体要素の実装構造のさらに他の実施形態を示している。この実施形態では、半導体要素使用体としてプリンタの印字ヘッドを考え、半導体要素として印字制御用ＩＣを考える。ここに示した印字ヘッド２１は、動作電極２２及び導電用端子２４が形成された基板２３と、その基板２３に装着される印字制御用ＩＣ２６とを含んで構成される。
【００３１】
図１０に示すように、各動作電極２２の先端には個々の画素ドットを構成する発熱体２７が導電接続されている。また、液晶駆動用ＩＣ２６のバンプ７は導電接着剤８によって各導電用端子２４に個別に導電接続される。この実施形態においても、液晶駆動用ＩＣ２６の各バンプ７間のピッチは各動作電極２２間のピッチと実質的に等しく設定される。
【００３２】
この実施形態では、印字対象である感熱用紙２８を矢印Ａで示すように発熱体２７の配列方向に対して直角方向へ搬送し、その搬送時に、複数の発熱体２７のいずれかに選択的に通電してそれらを発熱させて、感熱用紙２８の対応部分にドット像を印字し、それらのドット像によって希望の画像を表示する。
【００３３】
この実施形態においても、印字制御用ＩＣ２６のバンプ間ピッチを印字ヘッド２１の動作電極２２間のピッチと等しくしたので、それらをつなぐための導電用端子２４を傾斜を持たない単なる直線パターンとすることができ、従って、その導電用端子４のための配線領域を非常に狭くできる。それ故、印字ヘッド２１の全体形状を小さく形成できる。
【００３４】
また、ＩＣ２６の能動面１０を側方向へ向けることによってバンプ７を側方向に露出させた状態でそれらのバンプ７を導電性接着剤８によって各導電用端子２４に接続するようにしたので、ＩＣ２６の長さが長くなる場合でも、各バンプ７を確実に導電用端子２４、従って動作電極２２へ接続できる。また、能動面１０を側方向へ向けた状態、すなわちＩＣ２６を立てた状態で基板２３に装着するので、その装着のための面積を狭くすることができる。
【００３５】
いずれの実施の形態の液晶表示装置においても、2枚の基板が透光性を有する場合を例に示したが、一方の基板を不透明（透光性を有していないもの）にしても良い。また液晶表示装置は、いわゆるアクティブマトリックス型のものでも良く、その時基板も2枚とも透光性を有するものでも良いし、一方の基板のみ透光性を有するものでも構わない。ＴＦＴやＭＩＭ等のスイッチング素子を利用したアクティブマトリックス型液晶表示装置の場合は図は省略するが、通常一方の基板に走査信号線とデータ信号線と、画素電極と、データ信号線と画素電極との間にソースドレインが挿入接続され、走査信号線にゲートが接続されたＴＦＴ素子とが配置され、他方の基板には共通電極が形成される。この時ＴＦＴに接続されている電極は画素電極以外は透光性を有していない。本発明を実施するに際し、電極が透光性を有するか否かは重要ではなく、アクティブマトリックス型の液晶表示装置に本発明を適用できることは明らかである。この場合ＴＦＴが形成されている一方の基板にいわゆるドライバＩＣを実装すればよい。
【００３６】
【発明の効果】
本発明の半導体要素の実装構造によれば、半導体要素の能動面が半導体要素使用体の導電用端子形成面に対面するのではなくて、その能動面が側方向を向いた状態でその半導体要素が半導体要素使用体に取り付けられるので、半導体要素を装着させるために半導体要素使用体の表面に準備しておく面積を狭くすることができる。この結果、半導体要素使用体の全体形状を小型にできる。
【００３７】
本発明の半導体要素の実装構造によれば、半導体要素使用体の平面的な大きさを小さく抑えることができる。
【００３８】
本発明の半導体要素の実装構造によれば、半導体要素使用体の高さを低く抑えることができる。
【００３９】
本発明の半導体要素の実装構造によれば、半導体要素使用体の動作電極間ピッチと半導体要素の電極端子間ピッチとの違いを導電用端子によって補償する必要がなくなるので、導電用端子を単なる直線パターンによって形成でき、その結果、導電用端子の配線領域を小さくできる。このことは、半導体要素使用体の全体形状を小さくすることに関して非常に効果的である。特に、半導体要素使用体として液晶パネルを考える場合には、その液晶パネルの額縁領域を狭くすることができる。
【００４０】
本発明の液晶表示装置によれば、液晶駆動用ＩＣの能動面が液晶パネルの導電用端子形成面に対面するのではなくて、その能動面が側方向を向いた状態でその液晶駆動用ＩＣが基板に取り付けられるので、液晶駆動用ＩＣを装着させるために基板の表面に準備しておく面積を狭くすることができる。この結果、液晶パネルつまり液晶表示装置の全体形状を小型にできる。
【図面の簡単な説明】
【図１】本発明に係る半導体要素の実装構造を適用した液晶表示装置の一実施形態を示す平面図である。
【図２】図１の液晶表示装置の要部を拡大して示す斜視図でる。
【図３】図２に示す構造に対する改変例を示す斜視図である。
【図４】本発明に係る半導体要素の実装構造及び液晶表示装置の他の実施形態を示す平面図である。
【図５】本発明に係る半導体要素の実装構造及び液晶表示装置のさらに他の実施形態の要部を示す斜視図である。
【図６】本発明に係る半導体要素の実装構造及び液晶表示装置のさらに他の実施形態の要部を示す斜視図である。
【図７】本発明に係る半導体要素の実装構造及び液晶表示装置のさらに他の実施形態の要部を示す斜視図である。
【図８】図７の実施形態の要部を示す斜視図である。
【図９】本発明に係る半導体要素の実装構造のさらに他の実施形態を示す斜視図である。
【図１０】図９に示す実施形態の側面断面図である。
【図１１】従来の半導体要素の実装構造の一例を示す平面図である。
【符号の説明】
１            液晶パネル（半導体要素使用体）
１ａ，１ｂ    透光性基板
２            シール材
３ａ，３ｂ    ストライプ状電極（動作電極）
４            導電用端子
６            液晶駆動用ＩＣ（半導体要素）
７            バンプ（電極端子）
８            導電性接着剤
９            ＩＣ入力用配線パターン
１０            能動面
１１ａ，１１ｂ  透光性基板
１２            ＦＰＣ
２１            印字ヘッド（半導体要素使用体）
２２            動作電極
２３            基板
２４            導電用端子
２６            印字制御用ＩＣ（半導体要素）
２７            発熱体
Ｐe ，Ｐb     ピッチ
【図１】
0003716564.tif 000002
【図２】
0003716564.tif 000003
【図３】
0003716564.tif 000004
【図４】
0003716564.tif 000005
【図５】
0003716564.tif 000006
【図６】
0003716564.tif 000007
【図７】
0003716564.tif 000008
【図８】
0003716564.tif 000009
【図９】
0003716564.tif 000010
【図１０】
0003716564.tif 000011
【図１１】
0003716564.tif 000012